(57)【要約】【課題】カバー本体とは別にベルトのみを交換可能にして、当該ベルトに破断等が生じてもカバー本体を交換することなく発熱体に対して密着性を維持したまま断熱や保温を十分にすることができるとともに、商品価値の喪失を防止することができる断熱カバーのベルト取付け構造を提供すること。【解決手段】発熱体を被覆可能に形成した断熱部材からなるカバー本体１１を設け、そのカバー本体１１をベルト固定具１２及びベルト１３を用いて前記発熱体に固定する断熱カバー１０のベルト取付け構造において、前記ベルト固定具１２は、前記カバー本体１１に設けられて前記ベルト１３を挿通掛止可能に形成されているとともに前記カバー本体１１の両側部に取付けられており、前記ベルト１３が前記ベルト固定具１２を介して前記カバー本体１１に着脱可能な別体に設けられていることを特徴とする。【選択図】　図１
2004132453.tif 000002
【特許請求の範囲】
【請求項１】
発熱体を被覆可能に形成した断熱部材からなるカバー本体を設け、そのカバー本体をベルト固定具及びベルトを用いて前記発熱体に固定する断熱カバーのベルト取付け構造において、
前記ベルト固定具は、前記カバー本体に設けられて前記ベルトを掛止可能に形成されており、
前記ベルトは、前記ベルト固定具を介して前記カバー本体に着脱可能な別体に設けられていることを特徴とする断熱カバーのベルト取付け構造。
【請求項２】
ベルト固定具は、カバー本体の被覆合わせ面である両側部付近に形成されていることを特徴とする請求項１記載の断熱カバーのベルト取付け構造。
【請求項３】
ベルト固定具は、カバー本体の両端部付近に形成されていることを特徴とする請求項１記載の断熱カバーのベルト取付け構造。
【請求項４】
ベルト固定具を通して引き出されたベルト部分に移動調節可能に固定する止め具を備えていることを特徴とする請求項１〜３の何れかに記載の断熱カバーのベルト取付け構造。
【発明の詳細な説明】
【０００１】
【発明の属する技術分野】
本発明は、エンジン、ターボチャージャー、蒸気配管のバルブ又はフランジ等の発熱体を被覆する断熱カバーのベルト取付け構造に係り、特に発熱体からの発熱やその保温状態の熱の移行を遮断し、所定の温度内に維持したり、あるいは発熱体から高温の放射熱が漏れて周囲物品への熱害に至ることを防止できる、種々断熱材で積層された布団タイプの断熱（耐熱）カバーのベルト取付け構造に関するものである。
【０００２】
【従来の技術】
【０００３】
【特許文献１】特開平９−１５１７４２号公報（段落［０００５］、第９図）ターボチャージャー用断熱カバー及びその製造方法
【０００４】
従来の断熱カバーの一例を図５とともに説明する。従来の断熱カバー９０は、カバー本体９１、ベルト固定具９２及びベルト９３より構成されている。上記カバー本体９１は断熱材と形状保持層を有する断熱部材を使用してタービンハウジングのスクロール部における周面及び両端面に被覆可能に形成されており、そのカバー本体９１の両端部のうち一方には、上記ベルト９３の一方端がそのカバー本体９１のクロス表面に縫い付けられて抜脱不可能に固定して設けられていた。一方、これに対応する両端部の他方には、ベルト固定具９２が縫い付けられており、当該ベルト９３の他方端がベルト固定具９２に挿通されて折り返され固定されていた（特許文献１参照）。
【０００５】
上記特許文献１の断熱カバー９０によれば、そのカバー本体９１を前記タービンハウジングに被せ、各ベルト固定具９２に対応するベルト９３を通して締め付けることにより、タービンハウジングに上記カバー本体９１が固定されていた。
【０００６】
このようにして、タービンハウジングのような、個々の発熱体若しくはいくつかの発熱物より形成された発熱体を、１若しくはいくつかの脱着可能な断熱（耐熱）カバーにより断熱又は保温していた。
【０００７】
【発明が解決しようとする課題】
しかしながら、上記ベルト９３を使用した場合には、カバー本体９１のクロス表面に縫い付けられたベルト９３が、当該カバー本体９１の両端部の隙間から高温の放射熱を受け、剛性がなくなり、例えば徐々にその締め付けが弛んだり、又は約３〜６ヶ月の定期点検のための脱着作業時に千切れたり、破断してしまう。このように高温の放射熱によりベルト９３の剛性がなくなり、カバー本体９１の締め付けが弛んでしまうと、その両端部をしっかりと締め付けることができず、発熱体とカバー本体９１の間に隙間ができ、断熱や保温が十分にできない。
【０００８】
また、カバー本体９１のクロス表面に縫い付けたベルト９３が千切れたり、破断すると、当該ベルト９３の一方端はカバー本体９１にしっかりと縫い付けられて固定されていることにより、ベルト９３のみを交換することができず、使用可能なカバー本体９１も交換しなければならず、商品価値の喪失が起きる。すなわち、ベルト９３のみに破断等が生じた場合にも、カバー本体９１を含めて全て新品に交換しなければならなかった。
【０００９】
そこで、本発明は以上のような問題点に鑑みてなされたものであり、本発明の目的は、カバー本体とは別にベルトのみを交換可能にして、当該ベルトに破断等が生じてもカバー本体を交換することなく発熱体に対して密着性を維持したまま断熱や保温を十分にすることができるとともに、商品価値の喪失を防止することができる断熱カバーのベルト取付け構造を提供することである。
【００１０】
【課題を解決するための手段】
上記課題を解決するため、本願請求項１記載の発明は、図面に使用する符号を付して説明すると、「発熱体を被覆可能に形成した断熱部材からなるカバー本体１１を設け、そのカバー本体１１をベルト固定具１２及びベルト１３を用いて前記発熱体に固定する断熱カバー１０のベルト取付け構造において、前記ベルト固定具１２は、前記カバー本体１１に設けられて前記ベルト１３を掛止可能に形成されており、前記ベルト１３は、前記ベルト固定具１２を介して前記カバー本体１１に着脱可能な別体に設けられている」ところに特徴を有するものを、その要旨とする。
【００１１】
すなわち、従来ではカバー本体１１のクロス表面に縫い付けられていたベルト１３を、カバー本体１１から着脱可能とし、そのベルト１３を掛止するベルト固定具１２をカバー本体１１に設けることにより、ベルト１３をカバー本体１１とは別体にすることができるのである。この別体にすることによって、例えば作業時にベルト１３が千切れた場合には、カバー本体１１全体を交換することなく、ベルト１３のみを交換して、発熱体に対してカバー本体１１を継続して被覆しながらしっかりと密着して取付けることができる。また、ベルト１３を別体とすることができるので、ベルト１３を別工程で作成することができる。さらには、ベルト１３として、高温に耐えうるものの、従来はカバー本体１１に縫製不可であったため使用できなかった例えば強靱なスチールベルトが使用可能になり、用途に応じて、ベルト１３の種類を使い分けることができるのである。
【００１２】
また、上記課題を解決するために、請求項２記載の発明は、請求項１記載の断熱カバー１０のベルト取付け構造において、「ベルト固定具１２は、カバー本体１１の被覆合わせ面であるの両側部付近に形成されている」ところに特徴を有するものを、その要旨とする。
【００１３】
請求項２記載の発明によれば、ベルト固定具１２は、カバー本体１１の被覆合わせ面である両側部付近に形成されており、カバー本体１１を発熱体に被覆した場合に、両側部付近が重ね合わせるようにされ、ベルト１３がベルト固定具１２に掛止された後、その長手方向に引っ張られ、カバー本体１１の両側部間を締め付けた状態に固定され、カバー本体１１が発熱体に対して隙間なく被覆される。
【００１４】
さらに、上記課題を解決するために、請求項３記載の発明は、請求項１記載の断熱カバーのベルト取付け構造において、図３に示すように、「ベルト固定具２２は、カバー本体２１の両端部に形成されている」ところに特徴を有するものを、その要旨とする。
【００１５】
請求項３記載の発明によれば、ベルト固定具２２は、カバー本体２１の両端部に形成されており、ベルト固定具２２に掛止されたベルト２３が、その長手方向に引っ張られ、カバー本体２１の両端部間を締め付けた状態に固定され、カバー本体２１が発熱体に対して隙間なく被覆される。
【００１６】
請求項４記載の発明は、請求項１〜３の何れかに記載の断熱カバーのベルト取付け構造において、図４に示すように、「ベルト固定具２２を通して引き出されたベルト部分に移動調節可能に固定する止め具２４を備えている」ところに特徴を有するものを、その要旨とする。
【００１７】
請求項４記載の手段によれば、ベルト２３は、ベルト固定具２２に通され、折り返され強く引っ張られて当該ベルト２３の長手方向に移動可能にベルト部分に掛止される。さらに、ベルト２３は、引き出されたベルト部分が止め具２４に通され、ベルト２３相互が折り重なるように当接して移動調整可能に固定される。したがって、ベルト２３は、一旦ベルト固定具２２に通して引き出されて掛止され、さらに止め具２４によって固定されることにより、その締め付け力を自在にすることができ、より強固にベルト２３を固定することができる。ひいては、止め具２４を備えたことにより、カバー本体２１をより強固に締め付けることができ、その弛みを防止し、放射熱の漏洩をより強固に防止することができるのである。
【００１８】
【発明の実施の形態】
本発明の実施の形態を実施例に基づき説明する。本発明に係る断熱カバーは、個々の発熱体や、いくつかの発熱物により構成された発熱体に使用されるものであり、カバー本体と、ベルト固定具と、ベルトとを備えている。なお、発熱体は、例えばエンジン、ターボチャージャーのタービンハウジング、蒸気タービンやガスタービン、あるいはそれらの一部分であっても良く、又はボイラー室の蒸気配管のバルブやフランジ等であっても良い。
【００１９】
カバー本体は、公知の技術であって、断熱材を有する断熱部材を用いてあり、発熱体を一度に被包可能な大きさに形成してあるものであれば良く、例えば円柱状、円環状等如何なる形状に形成してあっても良い。また、断熱部材は、断熱材を有していれば良く、断熱材の種類やその構造も問わないし、その他形成方法も短冊状の各部材を縫製して形成しても良いし、その他の方法で形成しても良い。
【００２０】
ベルト固定具は、カバー本体に設けられてベルトを掛止可能に形成してあれば如何なるものであっても良く、例えば、リング状金具、バックル、又はビス止め固定可能な金具であっても良い。また、その取付け位置は、カバー本体に取付けられていれば如何なる位置であっても良いが、例えばカバー本体の被覆時の合わせ面である両側部付近、又は両端部付近が好ましい。
【００２１】
ベルトは、ベルト固定具を介してカバー本体に着脱可能な別体に設けられているものであれば如何なるものであっても良く、例えば帯状に形成したベルト、バックル付きベルト、又はビス止め可能なベルトであっても良い。また、ベルトの材質は、耐熱性を有するものであれば良く、例えばアルミ素材、ガラス素材、又は金属を主成分とする材質等如何なる材質であっても良い。通常、アルミ箔ガラスクロスを積層状態にしてその表面層に使用し、アルミ箔素材を表面側にしガラスクロスを裏面側にして使用するが、反対にアルミ箔素材を裏面側に使用して耐熱性をあげるのも良い。
【００２２】
（実施例１）
本発明の実施例１を図面を参照して説明する。図１は、本発明の一実施例を示す図であり、発熱体としてオフィスビルや工場、又は店舗等の冷暖房システムの発電機を駆動するガスタービンエンジンに使用される断熱カバー１０を示す斜視図である。この耐熱カバー１０は、各種断熱材を積層させ、その表面には、アルミ箔ガラスクロスを積層してある。その際には、アルミ箔を内側とし、そしてガラスクロスを外側とする向きで積層させてある。これにより、従来、外側にアルミ箔を向けて積層させていたものに比べ、アルミ箔が挟まれた状態となるので、アルミ箔が破れることや、剥がれることがなくなるのである。実施例１の断熱カバー１０は、このエンジンを被覆するカバー本体１１と、ベルト固定具１２と、ベルト１３とを備えている。
【００２３】
カバー本体１１は、エンジンを被覆するために円柱状に形成してある。そして、その下部から上部にかけて切り込みが入れてあり、エンジンに対して上方及び左右から被せてその上面及び両側面を一度に被覆可能に形成してある。
【００２４】
ベルト固定具１２は、ベルト１３の一方端を屈曲状態に挿通された状態で掛止するものであり、請求項２のごとく、カバー本体１１の切り込みを挟んだ両側部付近に形成してある。このベルト固定具１２は、図２に示すように、２つに区画されたベルト挿通孔１２ａ、１２ｂを有し、この各ベルト挿通孔１２ａ、１２ｂにベルト１３の一方端を挿通して折り返すことにより、ベルト１３をカバー本体１１に確実に固定することができるようになっている。
【００２５】
ベルト１３は、公知の技術であって、それ自体耐熱性を有し、カバー本体１１をエンジンに被覆した場合に、エンジンとカバー本体１１との間からの放射熱の漏洩を防止するために、カバー本体１１をエンジンに対して密着した状態に締め付けるものであり、各端部をベルト固定具１２のベルト挿通孔１２ａ、１２ｂに挿通可能に形成してある。このベルト１３は、アルミ箔ガラスクロスを積層して形成したものであり、そのアルミ箔を内側とし、そしてガラスクロスを外側とする向きで積層してある。これにより、従来、外側にアルミ箔を向けて積層させていたものに比べ、アルミ箔が挟まれた状態となるので、例えばベルトの締結状態やベルトを引っ張って締め付けたりあるいはその締め付けを解除するときにアルミ箔が破れることや、剥がれることがなくなるのである。
【００２６】
次に、図２を参照して、断熱カバー１０をエンジンに取付ける方法について説明する。まず、カバー本体１１をエンジンに被せる。そして、ベルト固定具１２のベルト挿通孔１２ａに、ベルト１３の一方端を挿通した後、ベルト挿通孔１２ｂに、その一方端を折り返して挿通し、掛止して固定する。ベルト１３の他方端についても、同様にして、その他方端に対応するベルト固定具１２に挿通して折り返して掛止し固定する。
【００２７】
さらに、ベルト１３の各端部をそれぞれ強く引っ張って、カバー本体１１をエンジンに締め付ける。ベルト１３がベルト固定具１２に挿通され締め付けられて固定されることによって、カバー本体１１が、エンジンに沿って密着した状態に保たれる。
【００２８】
このように、断熱カバー１０によれば、カバー本体１１に形成したベルト固定具１２に対して、ベルト１３の各端部をそれぞれ挿通して折り返し掛止し、カバー本体１１に固定することによって、カバー本体１１をエンジンに対して密着させ、カバー本体１１とエンジンとの間に隙間が生じるのを防止し、エンジンの放射熱を断熱することや保温することが確実にできる。
【００２９】
さらに、ベルト１３は、カバー本体１１に対して着脱自在に別体に設けてあるので、ベルト１３をベルト固定具１２から取り外してベルト１３のみを交換することができる。したがって、ベルト１３の剛性がなくなった場合には、カバー本体１１を交換することなく、ベルト１３のみを交換して締め付け状態の弛みを解消して、エンジンとカバー本体１１との間の隙間をなくして断熱や保温が十分にできる。また、ベルト１３が千切れたり、破断した場合には、同様にカバー本体１１を交換することなくベルト１３のみを交換できるので、商品価値を喪失することがない。また、ベルト１３のみの交換費用で済み、交換コストを抑えることができる。
【００３０】
また、請求項２記載のごとく、ベルト固定具１２をカバー本体１１の両側部付近に形成した場合には、ベルト１３を引っ張ってカバー本体１１の両側部を互いに結びつけるように確実に締め付けて、カバー本体１１の両側部に隙間が生じるのを防止でき、エンジンの放射熱を断熱することや保温することが確実にできる。
【００３１】
（実施例２）
次に本発明に係る他の実施例を図面を参照して説明する。図３は、実施例２を示す図であり、発熱体としてターボチャージャーのタービンハウジングに使用される断熱カバー２０を示す斜視図である。実施例１の断熱カバー２０は、タービンハウジングを被覆するカバー本体２１と、ベルト固定具２２と、ベルト２３とを備えている。
【００３２】
カバー本体２１は、ターボチャージャーのタービンハウジングの周面及び両端面を一度に被包可能な大きさに形成してある。さらに、カバー本体２１の両端部付近には、その両端部から延出する重合部２１ａが形成されていても良く、この重合部２１ａが形成されている場合には、カバー本体２１がタービンハウジングに被覆されカバー本体２１の両端部が締め付けられた場合に、その両端部の一方に対して他方が重なり合って放射熱の漏洩を防止することができる。
【００３３】
ベルト固定具２２は、請求項３記載のごとく、ベルト固定具２２をカバー本体２１の両端部付近に形成してあり、この場合には、カバー本体２１の両端部に隙間が生じるのを防止でき、タービンハウジングの放射熱を断熱することや保温することが確実にできる。
【００３４】
ベルト２３は、図４に示すように、請求項４記載のごとく、ベルト固定具２２を通して引き出されたベルト部分に移動調整可能に固定する止め具２４を備えており、ベルト固定具２２の固定に加えて引き出されたベルト部分にも移動調整可能に固定でき、ベルト２３がより強固に締め付けられ、弛みが防止されその状態を維持することができる。
【００３５】
以上、実施例に基づいて本発明を説明したが、本発明は上記実施例に何ら限定されるものではなく、本発明の趣旨を逸脱しない範囲内で種々の改良変形が可能である。
【００３６】
【発明の効果】
請求項１記載の断熱カバーのベルト取付け構造によれば、カバー本体を備え、ベルト固定具がベルトを掛止可能に形成されており、ベルトがベルト固定具を介してカバー本体に対して着脱可能な別体に設けてあるので、カバー本体からベルトを取り外すことができ、例えば、発熱体に対するベルト取付け時や被覆状態において、ベルトが千切れたり破断した場合に、カバー本体を交換することなくベルト本体を取り外して新しいベルトに容易に交換することができ、発熱体に対して密着性を維持したまま断熱や保温を十分にすることができるとともに、商品価値の喪失を防止することができるるという効果を奏する。
【００３７】
さらに、請求項２記載の断熱カバーのベルト取付け構造によれば、請求項１記載の断熱カバーのベルト取付け構造の奏する効果に加えて、ベルト固定具は、カバー本体の両側部付近に形成されているので、ベルト固定具にベルトを掛止して固定し、カバー本体の両側部をしっかりと締め付けることができ、カバー本体を隙間なく発熱体に被覆することができるという効果を奏する。
【００３８】
また、請求項３記載の断熱カバーのベルト取付け構造によれば、請求項１記載の断熱カバーのベルト取付け構造の奏する効果に加えて、ベルト固定具は、カバー本体の両端部に形成されているので、ベルト固定具にベルトを掛止して固定し、カバー本体の両端部をしっかりと締め付けることができ、カバー本体を隙間なく発熱体に被覆することができるという効果を奏する。
【００３９】
さらに、請求項４記載の断熱カバーのベルト取付け構造によれば、請求項１〜３の何れかに記載の発明の奏する効果に加えて、ベルト固定具を通して引き出されたベルト部分に移動調節可能に固定する止め具を備えているので、ベルトをより強固に取付けることができ、弛みを防止し放射熱の漏洩を強固に防止することができるという効果を奏する。
【図面の簡単な説明】
【図１】本発明に係る断熱カバーを示す斜視図である。
【図２】図１の断熱カバーのベルト取付け構造部分の部分拡大図である。
【図３】第２実施例の断熱カバーのベルト取付け構造を示す斜視図である。
【図４】上記第２実施例の断熱カバーのベルト取付け構造部分の部分拡大図である。
【図５】従来の断熱カバーを示す斜視図である。
【符号の説明】
１０、２０　断熱カバー
１１、２１　カバー本体
１２、２２　ベルト固定具
１３、２３　ベルト
２４　　　　止め具
【図１】
2004132453.tif 000003
【図２】
2004132453.tif 000004
【図３】
2004132453.tif 000005
【図４】
2004132453.tif 000006
【図５】
2004132453.tif 000007